(57)【特許請求の範囲】
【請求項１】
携帯電話機本体と、少なくともアンテナ整合回路とを備え、前記携帯電話機本体が、第１本体と、前記第１本体に対して枢動自在に設けられた第２本体とからなる折り畳み型携帯電話機において、
前記携帯電話機本体に分布する高周波電流を打ち消す打ち消し電流を生成する電流生成手段を有し、前記アンテナ整合回路の特性を切り替えるアンテナ特性切り替え回路と、
本折り畳み型携帯電話機が折り畳まれているか否かを検出し、検出結果に応じた検出信号を発する開閉検出回路と、
前記検出信号に応じて、本折り畳み型携帯電話機が折り畳まれた状態と折り畳まれていない状態との２つの状態のうちの何れか一方の状態のときにのみ、前記電流生成手段に前記打ち消し電流を発生させる制御を行う制御手段と、
を備え、
前記アンテナ特性切り替え回路は、アンテナ給電点に接続されている第１の容量と、一端において前記第１の容量に接続され、他端において接地されているインダクタンスと、を備え、
前記第１の容量の容量値と前記インダクタンスのインダクタンス値は、前記２つの状態のうちの何れか他方の状態で、且つ、前記電流生成手段により前記打ち消し電流が生成されない状態のときに、前記アンテナ整合回路の特性を最適な状態にするような値に設定され、
前記電流生成手段は、前記第１の容量と前記インダクタンスとの接続点に電流を流すダイオードと、前記ダイオードと直列に接続されている抵抗と、一端において前記ダイオードと前記抵抗との接続点に接続され他端において接地されている第２の容量と、を備え、前記制御手段の制御下で前記インダクタンスに電流を流すものであることを特徴とする折り畳み型携帯電話機。
【請求項２】
前記制御手段は、本折り畳み型携帯電話機が折り畳まれていない状態のときにのみ前記電流生成手段に前記打ち消し電流を発生させる制御を行うものであり、
前記第１の容量の容量値と前記インダクタンスのインダクタンス値は、本折り畳み型携帯電話機が折り畳まれた状態で、且つ、前記電流生成手段により前記打ち消し電流が生成されない状態のときに、前記アンテナ整合回路の特性を最適な状態にするような値に設定されていることを特徴とする請求項１に記載の折り畳み型携帯電話機。
【請求項３】
前記制御手段は、前記開閉検出回路が前記折り畳み型携帯電話機が折り畳まれていないことを検出したときに、前記抵抗に電圧を印可して前記ダイオードをオンさせることにより、前記インダクタンスに電流を流すものであることを特徴とする請求項２に記載の折り畳み型携帯電話機。
【請求項４】
前記制御手段は、本折り畳み型携帯電話機が折り畳まれた状態のときにのみ前記電流生成手段に前記打ち消し電流を発生させる制御を行うものであり、
前記第１の容量の容量値と前記インダクタンスのインダクタンス値は、本折り畳み型携帯電話機が折り畳まれていない状態で、且つ、前記電流生成手段により前記打ち消し電流が生成されない状態のときに、前記アンテナ整合回路の特性を最適な状態にするような値に設定されていることを特徴とする請求項１に記載の折り畳み型携帯電話機。
【請求項５】
前記制御手段は、前記開閉検出回路が前記折り畳み型携帯電話機が折り畳まれていることを検出したときに、前記電流生成手段の前記抵抗に電圧を印可して前記ダイオードをオンさせることにより、前記インダクタンスに電流を流すものであることを特徴とする請求項４に記載の折り畳み型携帯電話機。
【請求項６】
ホイップアンテナを備えることを特徴とする請求項１乃至５の何れか一項に記載の折り畳み型携帯電話機。
【請求項７】
ヘリカルアンテナを備えることを特徴とする請求項１乃至５の何れか一項に記載の折り畳み型携帯電話機。
【請求項８】
請求項１乃至７の何れか一項に記載の折り畳み型携帯電話機におけるアンテナ特性の整合方法であって、前記折り畳み型携帯電話機が折り畳まれているか否かを検出する第１の過程と、前記折り畳み型携帯電話機が折り畳まれていない場合には、前記折り畳み型携帯電話機が折り畳まれていないことにより変化する、前記折り畳み型携帯電話機の本体に流れる高周波電流を打ち消す電流を流す第２の過程と、前記折り畳み型携帯電話機が折り畳まれるまで前記第２の過程を繰り返す第３の過程と、を備える折り畳み型携帯電話機におけるアンテナ特性の整合方法。
【請求項９】
請求項１乃至７の何れか一項に記載の折り畳み型携帯電話機におけるアンテナ特性の整合方法であって、前記折り畳み型携帯電話機が折り畳まれているか否かを検出する第１の過程と、前記折り畳み型携帯電話機が折り畳まれている場合には、前記折り畳み型携帯電話機が折り畳まれていることにより変化する、前記折り畳み型携帯電話機の本体に流れる高周波電流を打ち消す電流を流す第２の過程と、前記折り畳み型携帯電話機が折り畳まれていない状態になるまで、前記第２の過程を繰り返す第３の過程と、を備える折り畳み型携帯電話機におけるアンテナ特性の整合方法。
【発明の詳細な説明】
【０００１】
【発明の属する技術分野】
本発明は折り畳み型携帯電話機に関し、特に、折り畳み型携帯電話機におけるアンテナ特性を最適化することを可能にした折り畳み型携帯電話機に関する。
【０００２】
【従来の技術】
携帯電話機には種々の形式のものがあるが、その一つに折り畳み型携帯電話機がある。
【０００３】
図７及び図８に折り畳み型携帯電話機２０の一例を示す。
【０００４】
図７及び図８に示すように、この折り畳み型携帯電話機２０は、上部本体２１ａと、ヒンジ機構２２を介して上部本体２１ａに対して枢動自在に設けられた下部本体２１ｂと、上部本体２１ａに設けられた伸縮自在のアンテナ２３と、からなる。
【０００５】
この折り畳み型携帯電話機２０は、ヒンジ機構３０を中心として、上部本体２１ａと下部本体２１ｂとを相互に折り畳むことができるようになっており、図７は折り畳み型携帯電話機２０を開いた状態、図８は折り畳み型携帯電話機２０を折り畳んだ状態をそれぞれ示している。
【０００６】
図７に示すように、上部本体２１ａには受話器２４とＬＣＤからなる表示スクリーン２５とが設けられており、下部本体２１ｂには、送話器２６と、電話番号その他のデータを入力するためのテンキー２７とが設けられている。
【０００７】
図９は、折り畳み型携帯電話機２０の内部構造を示すブロック図である。
【０００８】
図９に示すように、この折り畳み型携帯電話機２０は、アンテナ２３、受話器２４、表示スクリーン２５、送話器２６及びテンキー２７の他に、アンテナ２３を介して受信した無線信号の復調その他の処理を行う無線部２８と、折り畳み型携帯電話機が折り畳まれているか否かを検出し、検出結果に応じた検出信号を発信する開閉検出回路２９と、表示スクリーン２５を駆動するＬＣＤドライバー３０と、アンテナ特性を決定するアンテナ整合回路３２と、受話器２４と送話器２６と無線部２８とＬＣＤドライバー３０とを制御する制御部３３と、からなっている。
【０００９】
折り畳み型携帯電話機２０は次のように作動する。
【００１０】
アンテナ２３を介して受信された無線信号は無線部２８において復調その他の処理を受け、制御部３３を介して、受話器２４から音声信号として発せられる。
【００１１】
また、送信の場合には、ユーザーの音声は送話器２６を介して制御部３３及び無線部２８に送られ、無線部２８において、無線信号に変換されて、アンテナ２３から送信される。
【００１２】
【発明が解決しようとする課題】
図７乃至図９に示した折り畳み型携帯電話機２０は、アンテナ２３として、ホイップアンテナを採用している。このホイップアンテナの上部にはヘリカルアンテナ２３ａが設けられており、ホイップアンテナを上部本体２１ａの内部に収納した状態においては、ヘリカルアンテナがアンテナ２３として作動する。
【００１３】
一般に、ヘリカルアンテナのアンテナ特性は、携帯電話機の筐体長の影響を大きく受ける。従って、折り畳まれた状態と折り畳まれていない状態とでは筐体長が大きく異なる折り畳み型携帯電話機２０においては、筐体長に応じた最適のアンテナ整合回路を選択することができない。
【００１４】
本発明は、このような問題点に鑑みてなされたものであり、使用状況に応じて筐体長が変化する折り畳み型携帯電話機において、筐体長に影響されることなく良好なアンテナ特性を得ることを可能にする折り畳み型携帯電話機及び折り畳み型携帯電話機におけるアンテナ特性の整合方法を提供する。
【００１５】
【課題を解決するための手段】
この目的を達成するため、請求項１は、携帯電話機本体と、少なくともアンテナ整合回路とを備え、前記携帯電話機本体が、第１本体と、前記第１本体に対して枢動自在に設けられた第２本体とからなる折り畳み型携帯電話機において、前記携帯電話機本体に分布する高周波電流を打ち消す打ち消し電流を生成する電流生成手段を有し、前記アンテナ整合回路の特性を切り替えるアンテナ特性切り替え回路と、本折り畳み型携帯電話機が折り畳まれているか否かを検出し、検出結果に応じた検出信号を発する開閉検出回路と、前記検出信号に応じて、本折り畳み型携帯電話機が折り畳まれた状態と折り畳まれていない状態との２つの状態のうちの何れか一方の状態のときにのみ、前記電流生成手段に前記打ち消し電流を発生させる制御を行う制御手段と、を備え、前記アンテナ特性切り替え回路は、アンテナ給電点に接続されている第１の容量と、一端において前記第１の容量に接続され、他端において接地されているインダクタンスと、を備え、前記第１の容量の容量値と前記インダクタンスのインダクタンス値は、前記２つの状態のうちの何れか他方の状態で、且つ、前記電流生成手段により前記打ち消し電流が生成されない状態のときに、前記アンテナ整合回路の特性を最適な状態にするような値に設定され、前記電流生成手段は、前記第１の容量と前記インダクタンスとの接続点に電流を流すダイオードと、前記ダイオードと直列に接続されている抵抗と、一端において前記ダイオードと前記抵抗との接続点に接続され他端において接地されている第２の容量と、を備え、前記制御手段の制御下で前記インダクタンスに電流を流すものであることを特徴とする折り畳み型携帯電話機を提供する。
【００１６】
本発明の折り畳み型携帯電話機においては、前記制御手段は、本折り畳み型携帯電話機が折り畳まれていない状態のときにのみ前記電流生成手段に前記打ち消し電流を発生させる制御を行うものであり、前記第１の容量の容量値と前記インダクタンスのインダクタンス値は、本折り畳み型携帯電話機が折り畳まれた状態で、且つ、前記電流生成手段により前記打ち消し電流が生成されない状態のときに、前記アンテナ整合回路の特性を最適な状態にするような値に設定されていることが好ましい。
【００１７】
この場合、前記制御手段は、前記開閉検出回路が前記折り畳み型携帯電話機が折り畳まれていないことを検出したときに、前記抵抗に電圧を印可して前記ダイオードをオンさせることにより、前記インダクタンスに電流を流すものであることが好ましい。
【００１８】
或いは、本発明の折り畳み型携帯電話機においては、前記制御手段は、本折り畳み型携帯電話機が折り畳まれた状態のときにのみ前記電流生成手段に前記打ち消し電流を発生させる制御を行うものであり、前記第１の容量の容量値と前記インダクタンスのインダクタンス値は、本折り畳み型携帯電話機が折り畳まれていない状態で、且つ、前記電流生成手段により前記打ち消し電流が生成されない状態のときに、前記アンテナ整合回路の特性を最適な状態にするような値に設定されていることが好ましい。
【００１９】
この場合、前記制御手段は、前記開閉検出回路が前記折り畳み型携帯電話機が折り畳まれていることを検出したときに、前記電流生成手段の前記抵抗に電圧を印可して前記ダイオードをオンさせることにより、前記インダクタンスに電流を流すものであることが好ましい。
【００２８】
本折り畳み型携帯電話機に用いるアンテナとしては、ホイップアンテナまたはヘリカルアンテナを用いることができる。
【００２９】
また、本発明のアンテナ特性の整合方法は、本発明の折り畳み型携帯電話機におけるアンテナ特性の整合方法であって、前記折り畳み型携帯電話機が折り畳まれているか否かを検出する第１の過程と、前記折り畳み型携帯電話機が折り畳まれていない場合には、前記折り畳み型携帯電話機が折り畳まれていないことにより変化する、前記折り畳み型携帯電話機の本体に流れる高周波電流を打ち消す電流を流す第２の過程と、前記折り畳み型携帯電話機が折り畳まれるまで前記第２の過程を繰り返す第３の過程と、を備える折り畳み型携帯電話機におけるアンテナ特性の整合方法を提供する。
【００３０】
或いは、本発明のアンテナ特性の整合方法は、本発明の折り畳み型携帯電話機におけるアンテナ特性の整合方法であって、前記折り畳み型携帯電話機が折り畳まれているか否かを検出する第１の過程と、前記折り畳み型携帯電話機が折り畳まれている場合には、前記折り畳み型携帯電話機が折り畳まれていることにより変化する、前記折り畳み型携帯電話機の本体に流れる高周波電流を打ち消す電流を流す第２の過程と、前記折り畳み型携帯電話機が折り畳まれていない状態になるまで、前記第２の過程を繰り返す第３の過程と、を備える折り畳み型携帯電話機におけるアンテナ特性の整合方法を提供する。
【００３１】
【発明の実施の形態】
以下、本発明の一実施形態に係る折り畳み型携帯電話機４０について説明する。
【００３２】
本実施形態に係る折り畳み型携帯電話機４０は、図７及び図８に示した折り畳み型携帯電話機２０と同様に、上部本体２１ａと、ヒンジ機構２２を介して上部本体２１ａに対して枢動自在に設けられた下部本体２１ｂと、上部本体２１ａに設けられた伸縮自在のアンテナ２３と、からなる。
【００３３】
折り畳み型携帯電話機４０は、ヒンジ機構３０を中心として、上部本体２１ａと下部本体２１ｂとを相互に折り畳むことができるようになっており、図７は折り畳み型携帯電話機４０を開いた状態、図８は折り畳み型携帯電話機４０を折り畳んだ状態をそれぞれ示している。
【００３４】
図７に示すように、上部本体２１ａには受話器２４とＬＣＤからなる表示スクリーン２５とが設けられており、下部本体２１ｂには、送話器２６と、電話番号その他のデータを入力するためのテンキー２７とが設けられている。
【００３５】
図１は、本実施形態に係る折り畳み型携帯電話機４０の構造を示すブロック図である。
【００３６】
図１に示すように、本実施形態に係る折り畳み型携帯電話機４０は、アンテナ２３、受話器２４、表示スクリーン２５、送話器２６及びテンキー２７の他に、アンテナ２３を介して受信した無線信号の復調その他の処理を行う無線部２８と、折り畳み型携帯電話機が折り畳まれているか否かを検出し、検出結果に応じた検出信号を発信する開閉検出回路２９と、表示スクリーン２５を駆動するＬＣＤドライバー３０と、アンテナ２３の特性を決定するアンテナ整合回路１０と、受話器２４と送話器２６と無線部２８とＬＣＤドライバー３０とを制御する制御部３３と、開閉検出回路２９が発信する検出信号に応じてアンテナ整合回路１０の特性を変えるアンテナ特性切り替え回路４１と、からなっている。
【００３７】
図２は、アンテナ２３とアンテナ整合回路１０とアンテナ特性切り替え回路４１の各々の内部構造を示す回路図である。
【００３８】
アンテナ２３は、一端において接地されている第１容量Ｃ１と、一端において接地されている第２容量Ｃ２と、両端において第１容量Ｃ１の他端及び第２容量Ｃ２の他端とそれぞれ接続している第１インダクタンスＬ１と、からなる。
【００３９】
アンテナ整合回路１０は、第３インダクタンスＬ３と、一端において接地され、他端において第３インダクタンスＬ３と接続している第５容量Ｃ５と、からなる。
【００４０】
また、アンテナ特性切り替え回路４１は、第３の容量Ｃ３と、一端において第３の容量Ｃ３に接続され、他端において接地されている第２インダクタンスＬ２と、出力端子が第３の容量Ｃ３と第２インダクタンスＬ２との接続点に接続されているピンダイオードＸ１と、一端がピンダイオードＸ１の入力端子に、他端が制御部３３に接続されている抵抗Ｒ１と、一端において、ピンダイオードＸ１の入力端子と抵抗Ｒ１との接続点に接続され、他端において接地されている第４の容量Ｃ４と、からなっている。
【００４１】
第３の容量Ｃ３の容量値と第２インダクタンスＬ２のインダクタンス値は、折り畳み型携帯電話機４０が折り畳まれた状態のときに、アンテナ整合回路１０の特性が最適な状態になるように、決定されている。
【００４２】
ピンダイオードＸ１、抵抗Ｒ１及び第４の容量Ｃ４が第２インダクタンスＬ２に、後述する打ち消し電流を流す電流生成手段を形成している。
【００４３】
アンテナ２３と、アンテナ整合回路１０と、アンテナ特性切り替え回路４１とは、アンテナ給電点１１を介して相互に接続している。
【００４４】
以下、図１及び図２を参照して、本実施形態に係る折り畳み型携帯電話機４０の動作を説明する。
【００４５】
図２に示すように、折り畳み型携帯電話機４０の上部本体２１ａ及び下部本体２１ｂには、アンテナ２３に対して、高周波電流Ｉ１が分布しており、この高周波電流Ｉ１は折り畳み型携帯電話機４０の筐体長により変化する。すなわち、折り畳み型携帯電話機４０が折り畳まれている状態と折り畳み型携帯電話機４０が折り畳まれていない状態とでは、折り畳み型携帯電話機４０の上部本体２１ａ及び下部本体２１ｂに流れる高周波電流Ｉ１は異なっている。
【００４６】
このため、従来の折り畳み型携帯電話機２０のように、筐体長の影響を受けるアンテナ２３を用いる場合、アンテナ整合回路２３の特性が筐体長により変化し、最適なアンテナ整合回路２３としての所望の特性を得ることができなかった。
【００４７】
これに対して、本実施形態に係る折り畳み型携帯電話機４０は、アンテナ２３のアンテナ特性に影響を及ぼす高周波電流Ｉ１を削減するために、上述のようなアンテナ特性切り替え回路４１を設け、折り畳み型携帯電話機４０を開いたときに変化する、上部本体２１ａ及び下部本体２１ｂに分布する高周波電流Ｉ１を打ち消すように、アンテナ特性切り替え回路４１の第２インダクタンスＬ２に打ち消し電流Ｉ２を流す。
【００４８】
この打ち消し電流Ｉ２は次のようにして流される。
【００４９】
制御部３３は、開閉検出回路２９からの検出信号により、折り畳み型携帯電話機４０が折り畳まれていない状態であることを検出すると、抵抗Ｒ１に対して所定の電圧を印可する。これにより、抵抗Ｒ１には、（印可された電圧）／（抵抗Ｒ１の抵抗値）により規定される電流が流れ、この電流がピンダイオードＸ１に入力される。
【００５０】
電流を受けたピンダイオードＸ１はＯＮ状態になり、第２インダクタンスＬ２に打ち消し電流Ｉ２を流す。この打ち消し電流Ｉ２により、折り畳み型携帯電話機４０の上部本体２１ａ及び下部本体２１ｂに流れる高周波電流Ｉ１が相殺される。
【００５１】
このように、本実施形態に係る折り畳み型携帯電話機４０によれば、折り畳み型携帯電話機４０が開いた状態になったときに変化する高周波電流Ｉ１の影響を排除することが可能となる。
【００５２】
次いで、図３及び図４を参照して、ホイップアンテナを収納して使用した場合について説明する。
【００５３】
図３はホイップアンテナ２３の正面図、図４はホイップアンテナ２３を上部本体２１ａの内部に収納した場合の折り畳み型携帯電話機４０の回路図である。
【００５４】
図３に示すように、ホイップアンテナ２３を上部本体２１ａの内部に収納した場合、ホイップアンテナ２３のトップの部分のヘリカルアンテナ２３ａがアンテナとして作用する。この場合、アンテナ給電点１１は、ヘリカルアンテナ２３ａの根元に位置することになり、また、ホイップアンテナ２３はＧＮＤに接地された状態と同様の状態になる。
【００５５】
このとき、ホイップアンテナ２３及び折り畳み型携帯電話機４０の上部本体２１ａ及び下部本体２１ｂには高周波電流Ｉ１が分布する。この高周波電流Ｉ１は、折り畳み型携帯電話機４０の筐体長に応じて変化し、ヘリカルアンテナ２３ａのアンテナ特性に影響を及ぼす。
【００５６】
このため、図４に示すように、図２に示したアンテナ特性切り替え回路４１と同様に、所定の打ち消し電流Ｉ２が第２インダクタンスＬ２に流される。
【００５７】
これによって、ホイップアンテナ２３及び折り畳み型携帯電話機４０の上部本体２１ａ及び下部本体２１ｂに分布していた高周波電流Ｉ１は打ち消され、折り畳み型携帯電話機４０の筐体長が変化しても、高周波電流Ｉ１がアンテナ２３のアンテナ特性に影響を与えることはない。すなわち、折り畳み型携帯電話機４０の折り畳みの有無にかかわらず、最適なアンテナ整合回路を用いることが可能となり、最良のアンテナ特性が実現される。
【００５８】
図５は、本実施形態に係る折り畳み型携帯電話機４０の作動を示すフローチャートである。以下、図５を参照して、本実施形態に係る折り畳み型携帯電話機４０の作動を説明する。
【００５９】
先ず、本実施形態に係る折り畳み型携帯電話機４０の電源をＯＮにすると（ステップ１０１）、開閉検出回路２９がＯＮとなり（ステップ１０２）、折り畳み携帯電話機４０が開いた状態にあるか否かを判定する（ステップ１０３）。
【００６０】
折り畳み型携帯電話機４０が開いた状態、すなわち、折り畳み型携帯電話機４０が折り畳まれていない状態であれば（ステップ１０３のＹＥＳ）、開閉検出回路２９は折り畳み型携帯電話機４０が開いた状態であることを示す検出信号を制御部３３に送信する。
【００６１】
この検出信号を受けた制御部３３は、アンテナ特性切り替え回路４１をＯＮし（ステップ１０４）、すなわち、抵抗Ｒ１に所定の電圧を印可し、アンテナ特性切り替え回路４１の第２インダクタンスＬ２に打ち消し電流Ｉ２を流す。この打ち消し電流Ｉ２により、折り畳み型携帯電話機４０の上部本体２１ａ及び下部本体２１ｂに分布していた高周波電流Ｉ１が打ち消される。
【００６２】
これによって、アンテナ整合回路１０の特性は最適化され、アンテナ２３の最適なアンテナ特性が実現される（ステップ１０５）。
【００６３】
一方、折り畳み携帯電話機４０が閉じた状態、すなわち、折り畳まれた状態であれば（ステップ１０３のＮＯ）、開閉検出回路２９は折り畳み型携帯電話機４０が閉じた状態であることを示す検出信号を制御部３３に送信する。
【００６４】
この検出信号を受けた制御部３３は、アンテナ特性切り替え回路４１を作動させない（ステップ１０６）。すなわち、抵抗Ｒ１に所定の電圧を印可せず、従って、アンテナ特性切り替え回路４１の第２インダクタンスＬ２にも打ち消し電流Ｉ２を流さない（ステップ１０７）。
【００６５】
第３の容量Ｃ３の容量値と第２インダクタンスＬ２のインダクタンス値は、折り畳み型携帯電話機４０が折り畳まれた状態のときに、アンテナ整合回路１０の特性が最適な状態になるように、決定されているので、第２インダクタンスＬ２に打ち消し電流Ｉ２を流さないことによって、アンテナ整合回路１０の特性は最適な状態に維持される。すなわち、アンテナ２３のアンテナ特性の最適化が実現される。
【００６６】
開閉検出回路２９がＯＦＦの状態にあるか否かは常時判定されている（ステップ１０８）。
【００６７】
開閉検出回路２９がＯＮの状態にある場合には（ステップ１０８のＮＯ）、上述のステップ１０３乃至１０７が繰り返される。一方、開閉検出回路２９がＯＦＦの状態にある場合には（ステップ１０８のＹＥＳ）、折り畳み携帯電話機４０の電源がＯＦＦか否かが判定される（ステップ１０９）。
【００６８】
電源がＯＮの状態にある場合には（ステップ１０９のＮＯ）、上述のステップ１０３乃至１０８が繰り返される。一方、電源がＯＦＦの状態にある場合には（ステップ１０９のＹＥＳ）、動作を終了する（ステップ１１０）。
【００６９】
上述の実施形態においては、第３の容量Ｃ３の容量値と第２インダクタンスＬ２のインダクタンス値は、折り畳み型携帯電話機４０が折り畳まれた状態のときに、アンテナ整合回路１０の特性が最適な状態になるように、決定されていたが、これとは逆に、第３の容量Ｃ３の容量値と第２インダクタンスＬ２のインダクタンス値は、折り畳み型携帯電話機４０が折り畳まれていない状態のときに、アンテナ整合回路１０の特性が最適な状態になるように、決定することも可能である。
【００７０】
第３の容量Ｃ３の容量値と第２インダクタンスＬ２のインダクタンス値をこのように決定した場合の折り畳み型携帯電話機４０の動作を図６に示す。
【００７１】
先ず、折り畳み型携帯電話機４０の電源をＯＮにすると（ステップ２０１）、開閉検出回路２９がＯＮとなり（ステップ２０２）、折り畳み携帯電話機４０が開いた状態にあるか否かを判定する（ステップ２０３）。
【００７２】
折り畳み携帯電話機４０が開いた状態、すなわち、折り畳まれていない状態であれば（ステップ２０３のＹＥＳ）、開閉検出回路２９は折り畳み型携帯電話機４０が開いた状態であることを示す検出信号を制御部３３に送信する。
【００７３】
この検出信号を受けた制御部３３は、アンテナ特性切り替え回路４１を作動させない（ステップ２０４）。すなわち、抵抗Ｒ１に所定の電圧を印可せず、従って、アンテナ特性切り替え回路４１の第２インダクタンスＬ２にも打ち消し電流Ｉ２を流さない（ステップ２０５）。
【００７４】
第３の容量Ｃ３の容量値と第２インダクタンスＬ２のインダクタンス値は、折り畳み型携帯電話機４０が折り畳まれていない状態のときに、アンテナ整合回路１０の特性が最適な状態になるように、決定されているので、第２インダクタンスＬ２に打ち消し電流Ｉ２を流さないことによって、アンテナ整合回路１０のアンテナ特性は最適な状態に維持される。すなわち、アンテナ２３のアンテナ特性の最適化が実現される。
【００７５】
一方、折り畳み型携帯電話機４０が閉じた状態、すなわち、折り畳み型携帯電話機４０が折り畳まれた状態であれば（ステップ２０３のＮＯ）、開閉検出回路２９は折り畳み型携帯電話機４０が閉じた状態であることを示す検出信号を制御部３３に送信する。
【００７６】
この検出信号を受けた制御部３３は、アンテナ特性切り替え回路４１をＯＮし（ステップ２０６）、すなわち、抵抗Ｒ１に所定の電圧を印可し、アンテナ特性切り替え回路４１の第２インダクタンスＬ２に打ち消し電流Ｉ２を流す。この打ち消し電流Ｉ２により、折り畳み型携帯電話機４０の上部本体２１ａ及び下部本体２１ｂに分布していた高周波電流Ｉ１が打ち消される。
【００７７】
これによって、アンテナ整合回路１０の特性は最適化され、ひいては、アンテナ２３のアンテナ特性の最適化が実現される（ステップ２０７）。
【００７８】
開閉検出回路２９がＯＦＦの状態にあるか否かは常時判定されている（ステップ２０８）。
【００７９】
開閉検出回路２９がＯＮの状態にある場合には（ステップ２０８のＮＯ）、上述のステップ２０３乃至２０７が繰り返される。一方、開閉検出回路２９がＯＦＦの状態にある場合には（ステップ２０８のＹＥＳ）、折り畳み携帯電話機４０の電源がＯＦＦか否かが判定される（ステップ２０９）。
【００８０】
電源がＯＮの状態にある場合には（ステップ２０９のＮＯ）、上述のステップ２０３乃至２０８が繰り返される。一方、電源がＯＦＦの状態にある場合には（ステップ２０９のＹＥＳ）、動作を終了する（ステップ２１０）。
【００８１】
【発明の効果】
以上のように、本発明に係る折り畳み型携帯電話機及び折り畳み型携帯電話機におけるアンテナ特性の整合方法によれば、以下のような効果を得ることができる。
【００８２】
第一の効果は、折り畳み型携帯電話機が折り畳まれた状態と折り畳まれていない状態とに応じて、アンテナ整合回路の特性を切り替えることができる点である。
【００８３】
その理由は、本発明に係る折り畳み型携帯電話機は、本折り畳み型携帯電話機を折り畳んだ状態と開いた状態とを検出する開閉検出回路を有しており、この開閉検出回路が発する検出信号を用いることにより、本折り畳み型携帯電話機を折り畳んだ状態と開いた状態とでアンテナ整合回路の特性を切り替えることができるためである。
【００８４】
第二の効果は、折り畳み型携帯電話機を折り畳んだ状態と開いた状態との間の筐体長の変化に対して、アンテナ整合回路のアンテナ特性を変えることが可能となり、ひいては、折り畳み型携帯電話機の筐体長に影響されることなく、良好なアンテナ特性が得ることが可能となる点である。
【００８５】
従来の携帯電話機においては、筐体の容積および筐体長がアンテナ特性に大きく影響していたため、折り畳み型携帯電話機においては、携帯電話機を折り畳んだときと携帯電話機を開いたときでは筐体長が大きく変化し、アンテナ整合回路のアンテナ特性が大きな影響を受けていた。これに対して、本発明に係る折り畳み型携帯電話機においては、折り畳んだ状態と開いた状態のそれぞれの筐体長に応じてアンテナ整合回路の特性を変えるアンテナ特性切り替え回路を備えることにより、アンテナ特性が筐体長の変化により左右されないようにすることが可能となるためである。
【００８６】
第三の効果は、折り畳み型携帯電話機に用いるアンテナの小型化が可能となる点である。
【００８７】
一般に、アンテナを小型化すると、折り畳み型携帯電話機の筐体長の変化がアンテナ整合回路のアンテナ特性により大きく影響する。このため、従来の折り畳み型携帯電話機のように、１つのアンテナ整合回路しか備えていない携帯電話機においては、折り畳んだ状態と開いた状態の両方のアンテナ特性を改善することは極めて困難であった。これに対して、本発明に係る折り畳み型携帯電話機によれば、折り畳んだ状態と開いた状態の各々において、アンテナ整合回路の特性を最適化することができるので、アンテナ特性は折り畳み型携帯電話機の開閉状態により変化する筐体長の影響を受けず、ひいては、アンテナを小型化することが可能となる。
【図面の簡単な説明】
【図１】本発明の一実施形態に係る折り畳み型携帯電話機の構成を示すブロック図である。
【図２】図１に示した折り畳み型携帯電話機の内部構造を示す回路図である。
【図３】図１に示した折り畳み型携帯電話機において、アンテナを収納したときの状態を示すアンテナの正面図である。
【図４】アンテナを収納した状態における、図１に示した折り畳み型携帯電話機の内部構造を示す回路図である。
【図５】図１に示した折り畳み型携帯電話機の動作を示すフローチャートである。
【図６】図１に示した折り畳み型携帯電話機の他の動作を示すフローチャートである。
【図７】開いた状態における折り畳み型携帯電話機の一例を示す斜視図である。
【図８】閉じた状態における折り畳み型携帯電話機の一例を示す斜視図である。
【図９】従来の折り畳み型携帯電話機の構成を示すブロック図である。
【符号の説明】
２０  従来の折り畳み型携帯電話機
２１ａ  上部本体
２１ｂ  下部本体
２２  ヒンジ
２３  アンテナ
２３ａ  ヘリカルアンテナ
２４  受話器
２５  表示スクリーン
２６  送話器
２７  テンキー
２８  無線部
２９  開閉検出回路
３０  ＬＣＤドライバー
３３  制御部
１１  アンテナ給電点
４０  本発明の一実施形態に係る折り畳み型携帯電話機
１０  アンテナ整合回路
４１  アンテナ特性切り替え回路
【図１】
0003669422.tif 000002
【図２】
0003669422.tif 000003
【図３】
0003669422.tif 000004
【図４】
0003669422.tif 000005
【図５】
0003669422.tif 000006
【図６】
0003669422.tif 000007
【図７】
0003669422.tif 000008
【図８】
0003669422.tif 000009
【図９】
0003669422.tif 000010